(57)【特許請求の範囲】
【請求項１】
採血管におけるキャップの上面に印を施すための採血管用スタンプであって、
上記キャップに接触させるための印面を有しているとともに、インクを保持した１または複数のインク保持部と、
上記インク保持部を収容したホルダと、
上記ホルダの中央に設けられて上記ホルダに連結され、かつ上記キャップの上面を押圧するための押圧体と、
を備えていることを特徴とする、採血管用スタンプ。
【請求項２】
上記インク保持部は、上記上面における中心部の周辺領域に上記印面を接触させるように形成されている、請求項１に記載の採血管用スタンプ。
【請求項３】
上記インク保持部は、上記上面における採血針を挿入する針挿入部の周辺領域に上記印面を接触させるように形成されている、請求項１に記載の採血管用スタンプ。
【請求項４】
上記印面は、円弧状に形成されている、請求項１ないし３のいずれかに記載の採血管用スタンプ。
【請求項５】
上記インク保持部を上記ホルダに対して相対移動させるための１または複数の操作部をさらに備えている、請求項１ないし４のいずれかに記載の採血管用スタンプ。
【請求項６】
上記操作部は、上記ホルダの少なくとも一部を外套し、かつ上記インク保持部に接続されている、請求項５に記載の採血管用スタンプ。
【請求項７】
上記複数の操作部は、上記インク保持部を支持しているとともに、それぞれ独立して上記ホルダに対して相対動可能とされている、請求項５に記載の採血管用スタンプ。
【請求項８】
上記ホルダに対して上下方向に相対動可能であり、かつ上記キャップに接触させられる複数の可動体を備えており、
上記複数のインク保持部のそれぞれは、対応する可動体が上記ホルダに対して相対的に上方に移動したときに上記ホルダに対して相対的に下方に移動するように構成されている、請求項１ないし７のいずれかに記載の採血管用スタンプ。
【請求項９】
上記複数のインク保持部のそれぞれは、上記複数の可動体のうちの最も離間した位置にある可動体の移動に連動して移動するように構成されている、請求項８に記載の採血管用スタンプ。
【請求項１０】
上記複数の可動体は、上記ホルダに対する相対位置が調整可能とされている、請求項８または９に記載の採血管用スタンプ。
【請求項１１】
上記押圧体は、弾性体を介して上記ホルダに連結されている、請求項１ないし１０のいずれかに記載の採血管用スタンプ。
【請求項１２】
上記ホルダは、上記キャップを覆うためのガイドを有している、請求項１ないし１１のいずれかに記載の採血管用スタンプ。
【請求項１３】
上記ガイドは、下方に向うほど拡径するテーパ状である、請求項１２に記載の採血管用スタンプ。
【請求項１４】
上記ホルダは、上記インク保持部を突出させるための開口と、上記開口から上記インク保持部が突出していない状態において上記開口を塞ぐ開閉蓋を有している、請求項１ないし１３のいずれかに記載の採血管用スタンプ。
【発明の詳細な説明】
【技術分野】
【０００１】
本発明は、採血管におけるキャップの上面に印を施すための採血管用スタンプに関する。
【背景技術】
【０００２】
病院や臨床検査センタにおいて採血管を取り扱う場合、図１６（ａ）および図１６（ｂ）に示したように採血管９のキャップ９０に印９１を施すことが行なわれている。これは、採血管に収容された検体の種類（たとえば感染検体、緊急検体、通常検体、ドック用検体あるいは院内検体）を区別するためである。
【０００３】
キャップ９０の印９１は、たとえば検査技師や看護士がマジックやペンなどの筆記具を用いて施される。このような方法は、筆記具のキャップの着脱を繰り返し行なう必要があるために多くの検体を取り扱う場合には非効率的な作業となる。一方、筆記具の蓋を外して放置すると、筆記具を収容するケースや使用者の手が汚れる恐れがあるばかりか、インクの蒸発を促進してしまう。
【０００４】
採血管におけるキャップ９０の上面９２の中心部９３は、通常、採血針や分析装置の検体吸引ノズルが挿入される部分である。そのため、図１６（ｂ）に示したように、キャップ９０の上面９２の中心部９３にマジックなどで印が施された場合には、検体吸引ノズルが汚れ、あるいは検体にマジックなどのインクが混入してしまう可能性がある。検体吸引ノズルの汚れや検体へのインクの混入は、測定誤差を生じさせ、あるいは測定エラーを誘発する原因ともなりかねない。
【０００５】
その一方で、キャップ９０に筆記具により印９１を施すことに代えて、採血管９の側面にインクジェット印刷装置を用いて所定の情報を印刷する装置も提案されている（たとえば特許文献１参照）。
【０００６】
しかしながら、インクジェット印刷装置は高価かつ比較的に大型なものであるため、印刷装置を使用することは検査コストを上昇させる原因となるばかりか、検査スペースを圧迫することとなる。
【０００７】
また、インクジェット印刷装置では、採血管に印刷すべき情報を装置に入力する必要あるために検査する者の負担が大きくなるばかりか、緊急時には不向きな方法である。
【０００８】
【特許文献１】特許第２７５３７２９号公報
【発明の開示】
【発明が解決しようとする課題】
【０００９】
本発明は、採血管に対して安価かつ簡易に印を施せるようにしつつ、検体吸引ノズルの汚れや検体へのインクの混入を抑制して適切に検体を検査できるようにすることを課題としている。
【課題を解決するための手段】
【００１０】
本発明は、採血管におけるキャップの上面に印を施すための採血管用スタンプであって、上記キャップに接触させるための印面を有しているとともに、インクを保持した１または複数のインク保持部と、上記インク保持部を収容したホルダと、上記ホルダの中央に設けられて上記ホルダに連結され、かつ上記キャップの上面を押圧するための押圧体と、を備えた採血管用スタンプに関する。
【００１１】
上記インク保持部は、上記上面における中心部の周辺領域に上記印面を接触させるように形成されている。
【００１２】
上記インク保持部は、上記上面における採血針を挿入する針挿入部の周辺領域に上記印面を接触させるように形成されていてもよい。
【００１３】
上記印面は、たとえば円弧状に形成されている。上記印面は、直線状あるいは環状であってもよい。
【００１４】
本発明の採血管用スタンプは、たとえば上記インク保持部を上記ホルダに対して相対移動させるための１または複数の操作部をさらに備えている。
【００１５】
上記操作部は、たとえば上記ホルダの少なくとも一部を外套し、かつ上記インク保持部に接続されている。
【００１６】
上記複数の操作部は、上記インク保持部を支持しているとともに、それぞれ独立して上記ホルダに対して相対動可能とされていてもよい。
【００１７】
本発明の採血管用スタンプは、上記ホルダに対して上下方向に相対動可能であり、かつ上記キャップに接触させられる複数の可動体を備えたものであってもよい。この場合、上記複数のインク保持部のそれぞれは、対応する可動体が上記ホルダに対して相対的に上方に移動したときに上記ホルダに対して相対的に下方に移動するように構成されるのが好ましい。上記複数のインク保持部のそれぞれは、たとえば上記複数の可動体のうちの最も離間した位置にある可動体の移動に連動して移動するように構成される。
【００１８】
上記複数の可動体は、上記ホルダに対する相対位置を調整可能に構成してもよい。
【００１９】
上記押圧体は、弾性体を介して上記ホルダに連結されている。
【００２０】
上記ホルダは、上記キャップを覆うためのガイドを有していてもよい。上記ガイドは、たとえば下方に向うほど拡径するテーパ状である。
【００２１】
上記ホルダは、上記インク保持部を突出させるための開口と、上記開口から上記インク保持部が突出していない状態において上記開口を塞ぐ開閉蓋を有していてもよい。
【発明を実施するための最良の形態】
【００２２】
以下、本発明に係る採血管用スタンプについて、参照例及び第１ないし第２の実施の形態として、図面を参照して具体的に説明する。
【００２３】
まず、本発明の参照例に係る採血管用スタンプについて、図１ないし図５を参照して説明する。これらの図では、採血管２として、採血管２のキャップ２０の中心部は、採血針や分析装置における検体吸引用のノズルが挿入される凸状に形成されている場合を例にとって説明する。
【００２４】
図１ないし図３に示した採血管用スタンプ１は、採血管２のキャップ２０における上面２１に印を施すためのものである。
【００２５】
この採血管用スタンプ１は、一対のインク保持部１０、ホルダ１１および操作部１２を備えている。
【００２６】
インク保持部１０は、キャップ２０の上面２１に付着させるべきインクを保持したものであり、横断面が一様な円弧状の形態を有している。インク保持部１０の横断面の曲率半径は、キャップ２０の中心部２２の径よりも大きく設定されている。インク保持部１０は、キャップ２０をホルダ１１で覆った状態において、一対のインク保持部１０によってキャップ２０の中心部２２を囲みように配置されている。
【００２７】
インク保持部１０は、たとえば多孔質体にインクを含浸させたものである。多孔質体としては、たとえばフェルト、不織布あるいは発泡体が使用される。インクとしては、溶媒に顔料や色素を分散させたものが使用される。溶媒としては、目的とする顔料や色素を適切に分散させることができる水性溶媒や有機溶媒が一般に使用され、安価に入手可能で人体に害がないものを使用するのが好ましい。顔料や色素としては、安価で人体に害がなく、目的とする色を発現できるものを使用するのが好ましい。
【００２８】
一対のインク保持部１０は、端部が突出した状態で支持体１３に支持されており、支持体１３とともにホルダ１１に収容されている。各インク保持部１０における支持体１３から突出した部分の端面は、印面１４を構成している。印面１４は、キャップ２０の上面に印を施すときにキャップ２０の上面２１に接触させられる部分である。印面１４は、インク保持部１０の横断面が一様な円弧状であることから、曲率半径がキャップ２０の中心部２２の径よりも大きい円弧状とされており、キャップ２０の中心部２２を囲むようにキャップ２０の上面２１に接触させることが可能となっている。
【００２９】
支持体１３は、上述のように一対のインク保持部１０を支持した状態でホルダ１１に収容されたものであり、ホルダ１１に対して上下方向（ＡＢ方向）に相対移動可能とされている。すなわち、一対のインク保持部１０もまた支持体１３と同様に、ホルダ１１に対して上下方向（ＡＢ方向）に相対移動可能とされている。
【００３０】
ホルダ１１は、キャップ２０の上面２１に印を施すときに上面２１を覆うものである。このホルダ１１は、一対のインク保持部１０および支持体１３を収容できるように筒状に形成されている。このホルダ１１の下側端部１５は、下方（Ｂ方向）に向うほど径が大きくなるテーパ状に形成されている。下側端部１５は、最大内径をキャップ２０の径よりも大きく設定一方で、最少内径をキャップ２０の径よりも小さく設定するのが好ましい。そうすれば、下側端部１５において、キャップ２０を保持しつつ、その位置を規制することができる。これに加えて、下側端部１５をテーパ状にすれば、ホルダ１１によってキャップ２０を覆うときに下側端部１５がガイドとしての役割を果すこととなり、キャップ２０に対するホルダ１１（採血管用スタンプ１）の装着が容易となる。
【００３１】
操作部１２は、インク保持部１０をホルダ１１に対して上下方向（ＡＢ方向）に相対移動させるためのものであり、ホルダ１１の上部側を外套している。この操作部１２は、支持体１３に対してコイルバネ１６を介して連結されている。すなわち、操作部１２は、コイルバネ１６および支持体１３を介してインク保持部１０に接続されている。
【００３２】
もちろん、コイルバネ１６に代えて、コイルバネ以外の形態のバネ、ゴムなどの他の弾性体を用いてもよい。
【００３３】
次に、採血管用スタンプ１の使用方法を説明する。
【００３４】
図４（ａ）に示したように、採血管用スタンプ１を用いて採血管２のキャップ２０に印Ｍ（図５参照）を施す場合、まずホルダ１１とキャップ２０とを位置合わせしてホルダ１１の下側端部（ガイド）１５によってキャップ２０を覆った状態とする。このような作業は、下側端部１５がテーパ状とされていることから、厳格な位置合わせ行なうことなく極めて簡易に行なうことができる。このように、ホルダ１１にテーパ状のガイド１５を設けた採血管用スタンプ１は、多数の採血管２のキャップ２０に印Ｍ（図５参照）を施す場合や緊急な検体の検査のために採血管２のキャップ２０に印を施す場合に利便性が高いものとなっている。
【００３５】
次に、図４（ｂ）に示したように、操作部１２に下方（Ｂ方向）に向けた負荷を作用させる。このとき、ホルダ１１がキャップ２０を覆った状態であることから、ホルダ１１の移動は制限されている。そのため、操作部１２は、ホルダ１１に対して相対的に下方（Ｂ方向）に移動する。
【００３６】
操作部１２を下方（Ｂ方向）に向けて移動させた場合、操作部１２に繋がるコイルバネ１６、支持体１３および一対のインク保持部１０も下方（Ｂ方向）に向けて移動する。一対のインク保持部１０が一定距離だけ下方（Ｂ方向）に移動した場合には、一対のインク保持部１０の印面１４がキャップ２０の上面２１に接触する。これにより、キャップ２０の上面２１に一対のインク保持部１０のインクが印面１４を介して付着させられる。このとき、印面１４は、キャップ２０の中心部２２の径よりも曲率半径の大きな円弧状であるため、印面１４は中心部２２を囲むようにキャップ２０の上面２１に接触する。
【００３７】
その一方で、図４（ｃ）に示したように、一対のインク保持部１０がキャップ２０の上面２１に接触することにより一対のインク保持部１０および支持体１３の移動が制限される。そのため、操作部１２は、コイルバネ１６を圧縮させつつさらに下方（Ｂ方向）に移動する。操作部１２の下方（Ｂ方向）への移動は、コイルバネ１６が完全に圧縮されるまで行なわれる。コイルバネ１６が圧縮できない状態では、操作部１２に加えられた下方（Ｂ方向）への負荷により、支持体１３および一対のインク保持部１０に対して下方（Ｂ方向）に向けた負荷が作用する。そのため、一対のインク保持部１０の印面１４は、キャップ２０の上面に対してさらに強く押し付けられる。その結果、図５に示したように、キャップ２０の上面２１には、一対のインク保持部１０の印面１４の形状に倣ってインクが付着され、キャップ２０の上面２１に一対の円弧状の印Ｍが施される。一対の円弧状の印Ｍは、キャップ２０の上面２１における中心部２２を避けたものとなっている。
【００３８】
以上の説明から明らかなように、採血管用スタンプ１では、極めて簡易な操作によりキャップ２０の上面２１に印Ｍを施すことができるため、キャップ２０に印Ｍを施すための際の検査する者の負担が小さくすむ。
【００３９】
採血管用スタンプ１ではさらに、キャップ２０の印Ｍは、キャップ２０の中心部２２を囲むように形成される。すなわち、印Ｍは、採血針や検体吸引用のノズルが挿入される部分を避けるように形成される。そのため、採血管用スタンプ１を用いれば、採血針や検体吸引用のノズルが汚れてしまうことや検体へのインクの混入を抑制できる。その結果、測定誤差や測定エラーの発生を抑制することができる。
【００４０】
また、採血管用スタンプ１は、極めて簡易な構成で、かつ小型なものであるため、インクジェット印刷装置を使用する場合のような検査コストの上昇を招くこともなく、検査スペースを圧迫することを回避することもできる。
【００４１】
以上の実施の形態では、キャップの中心部が凸状に形成された採血管を例にとって説明したが、採血用スタンプ１はキャップの中止部が凹状に形成された採血管についても適用することができる。
【００４２】
次に、本発明の第１の実施の形態に係る採血管用スタンプについて、図６ないし図１１を参照して説明する。
【００４３】
図６および図７に示した採血管用スタンプ３は、キャップ２０の上面２１における中心部２２が凸状に形成された採血管２（図６ないし図１０）および凹状に形成された採血管２（図１１（ａ）および図１１（ｂ））の双方に適合するように構成されたものである。この採血管用スタンプ３は、複数（図では４つ）のインク保持部３０、ホルダ３１、複数（図では４つ）可動ブロック３２および押圧ブロック３３を備えている。
【００４４】
インク保持部３０は、横断面が一様な円弧状の形態を有している。インク保持部３０の横断面の曲率半径は、キャップ２０の中心部２２の径よりも大きく設定されており、キャップ２０をホルダ３１で覆った状態において、複数のインク保持部３０によってキャップ２０の中心部２２を囲むように配置されている。そのため、一対のインク保持部３０の印面３０Ａは、キャップ２０の中心部２２を囲むようにキャップ２０の上面２１に接触させることが可能となっている。
【００４５】
図８（ａ）に示したように、インク保持部３０は、可動ブロック３２の上下動に連動して上下動可能とされている。より具体的には、インク保持部３０は、可動ブロック３２のうち、最も離れて配置された可動ブロック３２の上下動に連動するようになされている。たとえば、インク保持部３０は、可動ブロック３２の上動に連動して下動する一方で、可動ブロック３２の下動に連動して上動する。そのため、インク保持部３０は、連動する可動ブロック３２を所定距離以上だけ上動させたときに下動してホルダ３１の開口３４を介して突出することが可能となっている。このようなインク保持部３０と可動ブロック３２との連動は、たとえばリンク機構を採用することにより達成することができる。
【００４６】
図８（ａ）および図８（ｂ）に示したように、ホルダ３１は、インク保持部３０、可動ブロック３２および押圧ブロック３３を収容したものであり、インク保持部３０、可動ブロック３２および押圧ブロック３３に対して相対的に上下方向（ＡＢ方向）に移動可能とされている。ホルダ３１は、インク保持部３０に対応する位置に設けられた開口３４を有している。
【００４７】
開口３４は、インク保持部３０がホルダ３１から突出するのを許容するものである。この開口３４は、開閉蓋３５によって開閉可能とされている。
【００４８】
開閉蓋３５は、バネなどの弾性部材（図示略）によって上方（Ａ方向）に向けて付勢されており、通常時には開口３４を塞いでいる。その一方で、開閉蓋３５は、インク保持部３０を下方（Ｂ方向）に向けて移動させたときに、インク保持部３０の端部３６によって押圧されて回動し、開口３４を開放する。すなわち、開口３４を開閉する開閉蓋３５をも設けることにより、採血管用スタンプ３を使用していないときにインク保持部３０が外気に曝されることを抑制できる。これにより、インク保持部３０からの不用意なインクの蒸発を抑制することができる。
【００４９】
図７、図８（ａ）および図９（ｂ）に示したように、複数の可動ブロック３２は、インク保持部３０をホルダ３１の開口３４から突出させるためのものである。可動ブロック３２はまた、押圧ブロック３３を囲むように配置されており、押圧ブロック３３とともに採血管用スタンプ３によりキャップ２０の上面２１に印を施すときに、キャップ２０の中心部２２に接触させるためのものである。複数の可動ブロック３２は、それぞれ独立してホルダ３１に対して上下方向（ＡＢ方向）に移動可能とされており、位置調整ホルダ３７に対してコイルバネ３８を介して接続されている。
【００５０】
図８（ｂ）に示したように、位置調整ホルダ３７は、複数の可動ブロック３２および押圧ブロック３３の高さ位置を調整するためのものである。この位置調整ホルダ３７は、たとえば回転させることにより上下し、あるいは公知の係合手段により上下方向にピッチ送り可能とされている。ただし、採血管用スタンプ３によりキャップ２０に印を施す際には、位置調整ホルダ３７はホルダ３１との相対位置が固定され、ホルダ３１に対して相対移動せずにホルダ３１とともに移動する。
【００５１】
図６および図９（ａ）に示したように、押圧ブロック３３は、採血管用スタンプ３によりキャップ２０の上面２１に印を施すときに、キャップ２０の中心部２２に接触させるためのものである。すなわち、押圧ブロック３３は、採血管用スタンプ３をキャップ２０に位置合わせするときに利用されるものであるとともに、開口３４から突出させたインク保持部３０の印面３０Ａに負荷が集中するのを抑制するためのものである。この押圧ブロック３３は、コイルバネ３９を介して位置調整ホルダ３７に接続されている
【００５２】
もちろん、可動ブロック３２や押圧ブロック３３とホルダ３１とを接続する手段は、コイルバネ３８，３９には限定されず、コイルバネ以外の形態のバネ、ゴムなどの他の弾性体を用いてもよい。
【００５３】
次に、採血管用スタンプ３の使用方法を説明する。
【００５４】
図９（ａ）に示したように、採血管用スタンプ３を用いて採血管２のキャップ２０に印を施す場合、複数の可動ブロック３２および押圧ブロック３３をキャップ２０と位置合わせする。この状態において、ホルダ３１に対して下方（Ｂ方向）に向けた負荷を作用させる。これにより、複数の可動ブロック３２および押圧ブロック３３がキャップ２０の中心部２２に干渉する。これに対して、ホルダ３１および位置調整ホルダ３７は、コイルバネ３８，３９を圧縮させつつ複数の可動ブロック３２および押圧ブロック３３に対して相対的に下方（Ｂ方向）に移動する。
【００５５】
ホルダ３１が可動ブロック３２に対して相対的に下動した場合、可動ブロック３２はホルダ３１に対して相対的に上動したことになる。そのため、可動ブロック３２に連動するインク保持部３０は、ホルダ３１に対して相対的に下方（Ｂ方向）に移動し、開閉蓋３５を押しのけてホルダ３１の開口３４を介して突出する。その結果、インク保持部３０の印面３０Ａがキャップ２０の上面２１を押圧し、キャップ２０の上面２１には、インク保持部３０の印面３０Ａの形状に倣ってインクが付着する。図９（ｂ）に示したようにインクの付着により、キャップ２０の上面には４つの円弧状の印Ｍが施される。これらの円弧状の印Ｍは、キャップ２０の上面２１における中心部２２を避けたものとなっている。したがって、採血管用スタンプ３を使用してキャップ２０に印Ｍを施せば、採血針や検体吸引用ノズルの汚れあるいは検体へのインクの混入を抑制することができるため、測定誤差や測定エラーの発生を抑制することができる。
【００５６】
一方、図１０（ａ）に示したように、キャップ２０の中心部２２に対する可動ブロック３２の位置合わせに失敗し、可動ブロック３２のうちの一部がキャップ２０の中心部２２からずれた場合を想定してみる。押圧ブロック３３を囲むように複数の可動ブロック３２を配置した構成では、多少の位置ずれが生じても、一部の可動ブロック３２はキャップ２０の中心部２２に接触してホルダ３１に対して上動させられる。そのため、複数のインク保持部３０の一部は、印面３０Ａがキャップ２０の上面２１に接触させられる。したがって、図１０（ｂ）に示したように、採血管用スタンプ３では、キャップ２０の中心部２２に対する可動ブロック（採血管用スタンプ３）の位置合わせに多少の問題があったとしても、キャップ２０の上面２１に対して印Ｍを施すことができる。この印Ｍもまた、キャップ２０の上面２１における中心部２２を避けたものとなっている。
【００５７】
上述の例では、キャップ２０の上面２１における中心部２２が凸状に形成されていたが、採血管用スタンプ３は、図１１（ａ）に示したようにキャップ２０の上面２１の中心部２２が窪んだ採血管２であっても適用することができる。この場合、採血管用スタンプ３をキャップ２０の中心部２２が凸状に形成されたものに適用するときのままでは、キャップ２０の中心部(凹部の内面）２２に可動ブロック３２および押圧ブロック３３を十分に接触させることができない恐れがある。そのため、位置調整ホルダ３７をホルダ３１に対して下方（Ｂ方向）に位置変位させて可動ブロック３２および押圧ブロック３３をホルダ３１に対して位置変位させ、ホルダ３１に位置調整ホルダ３７を固定する。これにより、ホルダ３１からの可動ブロック３２および押圧ブロック３３の突出距離が大きな状態で、これらのブロック３２，３３をホルダ３１に固定することができる。その結果、キャップ２０の中心部２２が凹状の採血管２であっても、図１１（ｂ）に示したようにキャップ２０の中心部(凹部の内面）２２に可動ブロック３２を接触させさることが可能となって、インク保持部３０の印面３０Ａをキャップ２０の上面２１に接触させることができる。このような中心部２２が凹んだキャップ２０においても、可動ブロック３２の位置合わせが多少不十分であっても、複数の可動ブロック３２のうちの一部をキャップ２０の中心部２２に接触させることができるため、印Ｍをキャップ２０の上面２１に施すことができる（図１０（ｂ）参照）。
【００５８】
次に、本発明の第２の実施の形態に係る採血管用スタンプについて、図１２ないし図１５を参照して説明する。これらの図では、採血管２として、採血管２のキャップ２０の中心部は、採血針や分析装置における検体吸引用のノズルが挿入される凸状に形成されている場合を例にとって説明する。
【００５９】
図１２および図１３に示した採血管用スタンプ４は、複数（図では４つ）の操作部４０、複数のインク保持部４１およびホルダ４２を備えている。
【００６０】
複数の操作部４０は、インク保持部４１を支持しているとともに、それぞれが独立してホルダ４２に対して相対動可能とされている。操作部４０の下方には、コイルバネ４３が配置されている。コイルバネ４３は、操作部４０を上方に向けて付勢するものであり、インク保持部４１を囲むように配置されている。
【００６１】
もちろん、操作部４０を上方に向けて付勢する手段は、コイルバネ４３には限定されず、コイルバネ以外の形態のバネ、ゴムなどの他の弾性体を用いてもよい。
【００６２】
インク保持部４１は、横断面が一様な円弧状の形態を有している。インク保持部４１の横断面の曲率半径は、キャップ２０の中心部２２の径よりも大きく設定されており、キャップ２０をホルダ４２で覆った状態において、一対のインク保持部４１によってキャップ２０の中心部２２を囲むように配置されている。
【００６３】
インク保持部４１は、操作部４０とともに上下方向（ＡＢ方向）に移動可能なものである。すなわち、インク保持部４１は、操作部４０に負荷が作用していない状態ではホルダ４２の完全に収容されている一方で、操作部４０に対して下方（Ｂ方向）に向けた負荷が作用したときにホルダ４２の開口４４を介して突出することが可能となっている。開口４４は、開閉蓋４５によって開閉可能とされている。
【００６４】
開閉蓋４５は、バネなどの弾性部材（図示略）によって上方（Ａ方向）に向けて付勢されており、通常時には開口４４を塞いでいる。その一方で、開閉蓋４５は、インク保持部４１を下方（Ｂ方向）に向けて移動させたときに、インク保持部４１の端部４８によって押圧されて回動し、開口４４を開放する。このような開閉蓋４５を設けることにより、インク保持部４１のインクが不用意に蒸発してしまうことを抑制することができる。
【００６５】
ホルダ４２にはさらに、コイルバネ４６を介して押圧ブロック４７が接続されている。この押圧ブロック４７は、採血管用スタンプ４によりキャップ２０の上面２１に印を施すときに、キャップ２０の中心部２２に接触させるためのものである。すなわち、押圧ブロック４７は、採血管用スタンプ４をキャップ２０に位置合わせするときに利用されるものであるとともに、開口４４から突出させたインク保持部４１の印面４９に負荷が集中するのを抑制するためのものである。
【００６６】
もちろん、押圧ブロック４７とホルダ４２とを接続する手段は、コイルバネ４６には限定されず、コイルバネ以外の形態のバネ、ゴムなどの他の弾性体を用いてもよい。
【００６７】
次に、採血管用スタンプ４の使用方法を説明する。
【００６８】
まず、図１４（ａ）に示したように、目的とするインク保持部４１を支持する操作部４０を下方（Ｂ方向）に向けて押圧する。操作部４０を下方（Ｂ方向）に向けて移動させた場合には、コイルバネ４３を圧縮しつつ操作部４０とともにインク保持部４１が下方（Ｂ方向）に向けて移動する。これにより、インク保持部４１の端部４８が開閉蓋４５を押しのけ、ホルダ４２の開口４４からインク保持部４１が突出する。
【００６９】
次いで、図１４（ｂ）に示したように、押圧ブロック４７をキャップ２０の中心部２２に位置合わせしつつ、開口４４から突出したインク保持部４１の印面４９をキャップ２０の上面２１に接触させる。これにより、インク保持部４１のインクが印面４９を介してキャップ２０の上面２１に付着させられる。
【００７０】
一方、操作部４０に対する負荷を解除した場合には、コイルバネ４３の弾発力により操作部４０およびインク保持部４１が上方（Ａ方向）に移動して元の位置に復帰する。これと同時に、開閉蓋４５の元の位置に復帰し、開口４４が開閉蓋４５で閉じられる。
【００７１】
このようにして、押圧ブロック４７をキャップ２０の中心部２２に位置合わせするようにすれば、押圧ブロック４７がキャップ２０の中心部２２に接触する。そのため、採血管用スタンプ４では、キャップ２０の中心部２２にインク保持部４１の印面４９が接触するのを抑制することができるとともに、印面４９を程度な力でキャップ２０の上面に押し付けることができる。
【００７２】
また、ホルダ４２の開口から突出させるべきインク保持部４１を選択することにより、図１５（ａ）ないし図１５（ｄ）に示したようにキャップ２の上面２１に、中心部２２を避けて様々なパターンの印Ｍを施すことができる。
【００７３】
採血管用スタンプ４ではさらに、複数のインク保持部４１のそれぞれに、互いに異なる色のインクを保持させれば、印Ｍの色により検体の種類などを区別することも可能となり、また印Ｍの色と印Ｍのパターンを組み合わせることにより、さらに多数の種類の情報を区別することが可能となる。
【００７４】
以上の実施の形態では、キャップの中心部が凸状に形成された採血管を例にとって説明したが、採血用スタンプ１はキャップの中止部が凹状に形成された採血管についても適用することができる。
【００７５】
本発明は、上述した実施の形態には限定されず、種々に変更可能である。たとえば、キャップに形成する印は円弧状に限らず、直線状などの他の形態であってもよい。
【００７６】
インク保持部は、必ずしも複数設ける必要はなく、用途に応じて１つであってもよい。この場合、インク保持部の印面は、円弧状、直線状、環状あるいはその他の形状であってもよい。
【００７７】
採血管における採血針を挿入する針挿入部分がキャップの上面における中心部でない場合には、針挿入部分を避けて印を施せるように採血管用スタンプを構成すればよく、必ずしもキャップの上面における中心部を避けて印を施すように採血管用スタンプを構成必要はない。
【図面の簡単な説明】
【００７８】
【図１】本発明の参照例に係る採血管用スタンプの全体斜視図である。
【図２】図１のII−II線に沿う断面図である。
【図３】図１に示した採血管用スタンプを底面側から見た斜視図である。
【図４】図４（ａ）ないし図４（ｃ）は、図１に示した採血管用スタンプの使用方法を説明するための断面図である。
【図５】図１に示した採血管用スタンプを用いてキャップに印を施した採血管の要部の斜視図である。
【図６】本発明の第１の実施の形態に係る採血管用スタンプの縦断面図である。
【図７】図６に示した採血管用スタンプの横断面図である。
【図８】図８（ａ）および図８（ｂ）は、図６に示した採血管用スタンプにおける各部の動作を説明するための図６に相当する断面図である。
【図９】図９（ａ）は位置ずれのない状態で採血管に印を施した場合の動作を説明するための断面図であり、図９（ｂ）は位置ずれのない状態で印を施したキャップの上面図である。
【図１０】図１０（ａ）は位置ずれした状態で採血管に印を施した場合の動作を説明するための断面図であり、図１０（ｂ）は位置ずれした状態で印を施したキャップの上面図である。
【図１１】図１１（ａ）は他の形態の採血管のキャップに位置ずれのない状態で印を施した場合の動作を説明するための断面図であり、図１１（ｂ）は他の形態の採血管のキャップに位置ずれした状態で印を施した場合の動作を説明するための断面図である。
【図１２】本発明の第２の実施の形態に係る採血管用スタンプを示す全体斜視図である。
【図１３】図１２のXIII−XIII線に沿う断面図である。
【図１４】図１４（ａ）および図１４（ｂ）は、図１２に示した採血管用スタンプの動作を説明するための断面図である。
【図１５】図１５（ａ）ないし図１５（ｄ）は、図１２に示した採血管用スタンプを用いて印を形成したキャップの上面図である。
【図１６】採血管のキャップにマジックなどの筆記具を用いて印を施した状態の例を説明するための採血管の要部を示す斜視図である。
【符号の説明】
【００７９】
１，３，４  採血管用スタンプ
１０，３０，４１  インク保持部
１４，３０Ａ，４９  （インク保持部の）印面
１１,３１，４２  ホルダ
１２，４０  操作部
１５  （ホルダの）下側端部（ガイド）
２  採血管
２０  （採血管の）キャップ
２１  （キャップの）上面
２２  （キャップの）中心部
３２  可動ブロック（可動体）
３３  押圧ブロック（押圧体）
３９，４６  コイルバネ（弾性体）
３４  開口
３５  開閉蓋
Ｍ  印
【図１】
0005473251.tif 000002
【図２】
0005473251.tif 000003
【図３】
0005473251.tif 000004
【図４】
0005473251.tif 000005
【図５】
0005473251.tif 000006
【図６】
0005473251.tif 000007
【図７】
0005473251.tif 000008
【図８】
0005473251.tif 000009
【図９】
0005473251.tif 000010
【図１０】
0005473251.tif 000011
【図１１】
0005473251.tif 000012
【図１２】
0005473251.tif 000013
【図１３】
0005473251.tif 000014
【図１４】
0005473251.tif 000015
【図１５】
0005473251.tif 000016
【図１６】
0005473251.tif 000017